(57)【要約】【課題】バンドによってタンクを取付ける構成において、シール環の損傷を少なくすることができ、封止性を高めることができるとともに、封止を長期間に亘って安定させることができ、さらに、タンクのポンプ本体に対する位置を簡易に決めることができるようにする。【解決手段】被外嵌部１６を有するポンプ本体１と、該ポンプ本体１の吸込路となり、前記被外嵌部１６に嵌合される嵌合筒部５３を有するタンク５と、前記被外嵌部１６及び嵌合筒部５３の間に配置されるシール環７と、前記嵌合筒部５３を緊締するバンド６とを備え、嵌合筒部５３はバンド６が巻回される巻回部５６を有しており、該巻回部５６よりも嵌合筒部５３の開口縁側にシール環７を配置し、被外嵌部１６及び嵌合筒部５３の嵌合域に、前記ポンプ本体１に対する前記タンク５の位置を決める凸部５５及び凹部１７を設け、ポンプ本体１に対するタンク５の位置を決めるようにした。【選択図】　　　　図２
2004068683.tif 000002
【特許請求の範囲】
【請求項１】
被外嵌部を有するポンプ本体と、該ポンプ本体の吸込路となり、前記被外嵌部に嵌合される嵌合筒部を有するタンクと、前記被外嵌部及び嵌合筒部の間に配置されるシール環と、前記嵌合筒部を緊締するバンドとを備えたポンプにおいて、前記嵌合筒部は前記バンドが巻回される巻回部を有しており、前記シール環は前記巻回部よりも嵌合筒部の開口縁側に配置してあることを特徴とするポンプ。
【請求項２】
前記被外嵌部及び嵌合筒部の嵌合域には、前記タンクのポンプ本体に対する位置を決める位置決め手段を有する請求項１記載のポンプ。
【請求項３】
前記位置決め手段は前記被外嵌部が有する凹部と、該凹部に係合し、前記嵌合筒部が有する凸部とからなり、前記被外嵌部は前記凹部に連なる嵌合案内溝を有する請求項２記載のポンプ。
【発明の詳細な説明】
【０００１】
【発明の属する技術分野】
本発明は、油圧ポンプ等のポンプに関する。
【０００２】
【従来の技術】
近年の自動車には、パワーステアリング装置、自動変速装置等、油圧により作動し、運転操作を補助するための多くの補機が装備されており、これらの補機の作動油圧を発生すべく油圧ポンプが搭載されている。
【０００３】
この油圧ポンプは、例えば特開２０００−１５４７９１に開示されているように、圧液発生部を有するポンプ本体と、該ポンプ本体の一側に連結されたモータと、ポンプ本体の他側にポンプ本体を囲繞するように装着され、ポンプ本体の吸込路となるタンクとを備えている。
【０００４】
油圧ポンプのタンクは、例えば前記特開２０００−１５４７９１に開示されているように、複数本のボルトによってポンプ本体に取付けられるか、又は、特開平１１−３０１５０４号公報に記載されているように、バンドによってポンプ本体に取付けられる。このバンドを備えるポンプは、ポンプ本体が被外嵌部を有し、この被外嵌部に嵌合される嵌合筒部が前記タンクに設けられている。この被外嵌部及び嵌合筒部の嵌合域で、被外嵌部の端部外周面に環状溝が設けられており、この環状溝にシール環が配置されている。
【０００５】
ところで、ボルトによってタンクを取付ける構成にあっては、ボルトの本数を削減すべくタンク取付用ボルトの複数本がモータ取付用ボルトを兼ねており、モータ取付用ボルトの複数本がタンク取付用ボルトを兼ねているため、タンク及びモータを単独で固定するボルトの本数が少なく、タンク及びモータの取付けを強固に行い難いのであり、また、タンクが補修用の部品として要求された際に、複数本のボルトの弛緩／締付作業が必要であるため、バンドで取付けるものに比べてタンクの補修作業性が悪かった。従って、タンクの補修作業性を考慮した場合、タンクをバンドで取付けるのが好ましい。
【０００６】
【発明が解決しようとする課題】
しかしながら、バンドでタンクを取付ける構成にあっては、被外嵌部の端部外周面にシール環が配置されており、嵌合筒部の嵌合初期からシール環を弾性変形させつつ嵌合筒部を挿入するように構成されているため、嵌合筒部が被外嵌部に挿入されるとき、嵌合筒部によって前記シール環が損傷し易いし、また、バンドの緊締力によってシール環の弾性変形量が増加することになり、シール環による封止が不安定になると言う問題があった。また、タンクのポンプ本体に対する周方向位置を決めることができないため、組立て時にタンクのポンプ本体に対する周方向位置に誤りが発生することがあり、改善策が要望されていた。
【０００７】
本発明は斯かる事情に鑑みてなされたものであり、バンドによってタンクを取付ける構成において、シール環の損傷を少なくし、シール環による封止性を高めることができるとともに、封止を長期間に亘って安定させることができ、さらに、タンクのポンプ本体に対する位置を簡易に決めることができるポンプを提供することを目的とする。
【０００８】
【課題を解決するための手段】
第１発明に係るポンプは、被外嵌部を有するポンプ本体と、該ポンプ本体の吸込路となり、前記被外嵌部に嵌合される嵌合筒部を有するタンクと、前記被外嵌部及び嵌合筒部の間に配置されるシール環と、前記嵌合筒部を緊締するバンドとを備えたポンプにおいて、前記嵌合筒部は前記バンドが巻回される巻回部を有しており、前記シール環は前記巻回部よりも嵌合筒部の開口縁側に配置してあることを特徴とする。
【０００９】
第１発明にあっては、嵌合筒部の巻回部よりも開口縁側にシール環が配置されているため、嵌合筒部を被外嵌部に嵌合するとき、嵌合後期にシール環を弾性変形させることができ、シール環の損傷を少なくすることができる。しかも、シール環は前記巻回部よりも嵌合筒部の開口縁側に配置してあるため、バンドの緊締力によってシール環の撓み量が増加することを抑制でき、シール環の耐久性を高めることができるとともに、シール環による封止を長期間に亘って安定させることができ、液洩れを防ぐことができる。
【００１０】
第２発明に係るポンプは、前記被外嵌部及び嵌合筒部の嵌合域には、前記タンクのポンプ本体に対する位置を決める位置決め手段を有することを特徴とする。
【００１１】
第２発明にあっては、嵌合筒部を被外嵌部に嵌合してタンクをポンプ本体に取付ける際、位置決め手段によってタンクのポンプ本体に対する位置を決めることができるため、タンクの取付位置の間違いをなくすることができる。
【００１２】
第３発明に係るポンプは、前記位置決め手段は前記被外嵌部が有する凹部と、該凹部に係合し、前記嵌合筒部が有する凸部とからなり、前記被外嵌部は前記凹部に連なる嵌合案内溝を有することを特徴とする。
【００１３】
第３発明にあっては、嵌合筒部の凸部を被外嵌部の凹部に係合させた状態で嵌合筒部を被外嵌部に挿入することにより、嵌合筒部の凸部を被外嵌部の凹部に係合させることができるため、タンクの組込を容易にでき、しかも、ポンプ本体に対する適正位置にタンクを自動的に位置させることができる。
【００１４】
【発明の実施の形態】
以下本発明をその実施の形態を示す図面に基づいて詳述する。図１は本発明に係るポンプの構成を示す断面図、図２は本発明に係るポンプの要部の構成を示す拡大断面図、図３は被外嵌部の一部を拡大した斜視図である。
【００１５】
ポンプは、圧液発生部１１を有するポンプ本体１と、該ポンプ本体１の一側にブラケット２を介して複数本のボルト３により取付けられたモータ４と、ポンプ本体１を囲繞し、該ポンプ本体１の吸込路となるタンク５と、該タンク５をポンプ本体１に取付けるバンド６とを備えている。
【００１６】
ポンプ本体１は、前記モータ４に結合される略円形の座体１２と、該座体１２のモータ４と反対側に筒形のハウジング１３を介して結合された蓋板１４と、前記ハウジング１３内に内装された一対のギヤ１５，１５とを備えており、前記ハウジング１３内を圧液発生部１１としてある。前記ハウジング１３の一側には前記圧液発生部１１及びタンク５内に連通する吸込路が設けられている。
座体１２には周縁部から前記タンク５側へ突設された円筒形の被外嵌部１６が設けられている。また、前記ギヤ１５，１５の１つは入力軸１０を介して前記モータ４の出力軸４１に連結されている。
【００１７】
タンク５は、その底部に供給口５１及び該供給口５１に嵌合されたキャップ５２を有する有底の円筒体であり、その開口側には、前記被外嵌部１６に嵌合される断面円形の嵌合筒部５３が設けられており、また、周面の一側には返戻管５４が突設されている。
【００１８】
被外嵌部１６及び嵌合筒部５３の嵌合域で、被外嵌部１６には複数（例えば３つ）の凹部１７が周方向に離間して等配されており、嵌合筒部５３には前記凹部１７に係合する凸部５５が凹部１７に対応して突設されており、凹部１７及び凸部５５が係合することによりポンプ本体１に対するタンク５の位置、詳しくは被外嵌部１６に対するタンク５の嵌合方向及び周方向の位置を決めるようにしてある。
【００１９】
被外嵌部１６には開口縁から各凹部１７に連なり、前記凸部５５が係合するテーパ形の嵌合案内溝１８が設けられている。この嵌合案内溝１８は被外嵌部１６の開口縁から凹部１７にかけて浅くなり、凹部１７に至るまでは凸部５５と被外嵌部１６との接触抵抗を低減し、凹部１７では凸部５５を係止することができるようにしてある。また、被外嵌部１６の凹部１７に対して開口縁と反対側にはシール環嵌合面１９が設けられている。
【００２０】
嵌合筒部５３の外周面には前記凸部５５の外周りから開口縁と反対側位置に前記バンド６が巻回される凹溝形の巻回部５６を有しており、嵌合筒部５３の開口縁部内側にはテーパ面を有する環状凹所５７が設けられており、該環状凹所５７と前記シール環嵌合面１９との間にＯリングからなるシール環７が配置されている。また、嵌合筒部５３の開口縁部外周面には環状凸部５８を設けてシール環７による環状凹所５７部分の変形を防ぐようにしてある。
バンド６は前記巻回部５６に巻回される環部の両端間に締付ねじを有しており、該締付ねじを回転操作することにより環部を縮径するようにしてある。
【００２１】
以上のように構成されたポンプのタンク５をポンプ本体１の被外嵌部１６に取付ける場合、シール環７が被外嵌部１６のシール環嵌合面１９に挿入されており、また、バンド６が嵌合筒部５３の巻回部５６に巻回保持された状態でタンク５の嵌合筒部５３が被外嵌部１６に挿入される。この際、嵌合筒部５３の嵌合域に突設された３つの凸部５５が、被外嵌部１６の３つの嵌合案内溝１８に係合し、該嵌合案内溝１８に沿って容易に挿入することができる。また、嵌合案内溝１８はテーパになっているため、タンク５の挿入に伴い嵌合筒部５３は拡径方向へ弾性変形しつつ挿入され、さらに、嵌合域の終端近くで環状凹所５７が前記シール環７に接触し、該シール環７をシール環嵌合面１９との間で弾性変形させ、該シール環７が被外嵌部１６及び嵌合筒部５３の間を封止した状態で凸部５５が凹部１７に係合し、タンク５の装着状態を維持することができる。この後、バンド６の締付ねじを回転操作し、バンド６によって嵌合筒部５３を緊締し、該嵌合筒部５３を被外嵌部１６に固定する。
【００２２】
このようにタンク５を取付ける場合、シール環７は嵌合域の終端近くで弾性変形させるため、嵌合筒部５３を被外嵌部１６に嵌合するとき、シール環７の損傷を少なくすることができ、しかも、シール環７は前記巻回部５６よりも嵌合筒部５３の開口縁側に配置してバンド６の緊締力がシール環７に影響し難くしてあるため、バンド６の緊締力によってシール環７の弾性変形量が増加することを低減することができ、シール環の耐久性を高めることができるとともに、シール環７による封止を長期間に亘って安定させることができる。また、環状凹所５７とシール環嵌合面１９との間で弾性変形したシール環７の弾性復元力が嵌合筒部５３の開口縁部に加わることになるが、この開口縁部には環状凸部５８が設けられているため、シール環７による環状凹所５７部分の変形を抑制することができ、嵌合筒部５３の耐久性を高めることができる。
【００２３】
また、嵌合筒部５３を被外嵌部１６に嵌合するとき、凸部５５が嵌合案内溝１８に接触し、嵌合案内溝１８に沿って挿入することができるため、返戻管５４を有するタンク５のポンプ本体１に対する位置、詳しくはタンクの嵌合方向の位置及び周方向の位置を容易に、しかも正確に位置決めでき、タンクの取付位置を間違うことなくタンクを容易に組込むことができ、さらに、嵌合筒部５３の嵌合位置では凸部５５が凹部１７に係合し、タンク５の正確な位置を維持することができる。
【００２４】
尚、以上説明した実施の形態では被外嵌部１６に凹部１７を設け、嵌合筒部５３に凸部５５を設けたが、その他、被外嵌部１６に凸部５５を設け、嵌合筒部５３に凹部１７を設けた構成としてもよい。また、凹部１７及び凸部５５は複数である他、１つであってもよい。また、凹部１７に連なる嵌合案内溝１８を設けたが、その他、この嵌合案内溝１８に代えて、嵌合案内溝１８の位置を標示する標示部を設けてもよい。
【００２５】
また、本発明のポンプは、主として自動車のパワーステアリング装置、自動変速装置等、油圧により作動し、運転操作を補助するための補機の作動油圧を発生するための油圧ポンプとして用いられるのであるが、その他、油以外の液体を取り扱い対象とするポンプにおいても適用可能であることは言うまでもない。
【００２６】
【発明の効果】
以上詳述したように第１発明によれば、嵌合筒部を被外嵌部に嵌合するとき、シール環の損傷を少なくすることができ、しかも、シール環は前記巻回部よりも嵌合筒部の開口縁側に配置してあるため、バンドの緊締力によってシール環の撓み量が増加することをなくすることができ、シール環による封止を長期間に亘って安定させることができる。
【００２７】
第２発明によれば、位置決め手段によってタンクのポンプ本体に対する位置を決めることができるため、タンクの取付位置の間違いをなくすることができる。
【００２８】
第３発明によれば、嵌合筒部の凸部を被外嵌部の凹部に係合させることができるため、タンクの組込を容易にでき、しかも、ポンプ本体に対する適正位置をタンクを自動的に位置させることができる。
【図面の簡単な説明】
【図１】本発明に係るポンプの構成を示す断面図である。
【図２】本発明に係るポンプの要部の構成を示す拡大断面図である。
【図３】本発明に係るポンプの被外嵌部の一部を拡大した斜視図である。
【符号の説明】
１　　ポンプ本体
１６　被外嵌部
１７　凹部
１８　嵌合案内溝
５　　タンク
５３　嵌合筒部
５５　凸部
５６　巻回部
５７　環状凹所
６　　バンド
７　　シール環
【図１】
2004068683.tif 000003
【図２】
2004068683.tif 000004
【図３】
2004068683.tif 000005